(57)【要約】【課題】バースト周波数判別回路において、バースト周波数を判別する際に、ＡＰＣ回路がロックしている又はロックしていないの判定に要する時間を短縮して、バースト周波数の判別を短時間で行う。【解決手段】ＳＥＣＡＭ方式、ＰＡＬ方式及びＮＴＳＣ方式の各放送方式の映像信号を全て処理する映像信号処理回路において、ＳＥＣＡＭ信号を復調するＦＭ復調回路２００をバースト周波数判別回路の一部と共用する。入力された映像信号は、前記ＦＭ復調回路２００で周波数成分を復調された後、バースト抜き取り回路１４でバースト信号部分のみが抜き取られる。この抜き取られた復調信号は、積分回路１６で積分された後、比較器１９で所定値１５と比較され、その大小によりバースト周波数が判別される。従って、瞬時にバースト周波数を判別でき、また前記ＦＭ復調回路の共用により回路規模も削減できる。【選択図】図４
2005341192.tif 000002
【特許請求の範囲】
【請求項１】
１種類の動作クロックが入力されるバースト周波数判別回路において、
入力される映像信号からクロマ信号を分離するバンドパスフィルタ回路と、
前記入力される映像信号から水平同期信号を分離する水平同期分離回路と、
前記水平同期分離回路により分離された水平同期信号に基づいてバーストゲートパルスを生成するバーストゲートパルス生成回路と、
前記バンドパスフィルタ回路から出力されるクロマ信号から周波数成分を復調するＦＭ復調回路と、
前記ＦＭ復調回路から出力される復調信号をＳＥＣＡＭ信号の色差信号に復調するＳＥＣＡＭ色差復調回路と、
前記バーストゲートパルス生成回路から出力されるバーストゲートパルスを基準として、前記ＦＭ復調回路から出力される復調信号からバースト信号部分を抜き取るバースト抜き取り回路と、
前記バースト抜き取り回路から出力されるバースト復調信号と所定値とを比較する比較回路とを備えた
ことを特徴とするバースト周波数判別回路。
【請求項２】
前記請求項１記載のバースト周波数判別回路において、
前記ＦＭ復調回路は、
前記バンドパスフィルタ回路からのクロマ信号を、位相が９０°異なる信号に変換するＨｉｌｂｅｒｔ変換回路と、
前記Ｈｉｌｂｅｒｔ変換回路の出力を受けるアークタンジェント回路と、
前記アークタンジェント回路の出力信号を微分する微分回路と、
前記微分回路の出力信号を所定値の中心周波数の信号に変換するデビエーション回路とを備える
ことを特徴とするバースト周波数判別回路。
【請求項３】
クロック切替信号を受け、このクロック切替信号に基づいてバースト周波数判別回路の動作クロックを１７．７ＭＨｚクロックと１４．３ＭＨｚクロックとに切り替えるクロック切替回路と、
入力される映像信号からクロマ信号を分離するバンドパスフィルタ回路と、
前記入力される映像信号から水平同期信号を分離する水平同期分離回路と、
前記水平同期分離回路により分離された水平同期信号に基づいてバーストゲートパルスを生成するバーストゲートパルス生成回路と、
前記バンドパスフィルタ回路から出力されるクロマ信号から周波数成分を復調すると共に、この復調の際に前記クロック切替信号によって復調中心周波数を可変にする可変型ＦＭ復調回路と、
前記入力される映像信号がＳＥＣＡＭ信号の場合に、前記可変型ＦＭ復調回路から出力される復調信号をＳＥＣＡＭ信号の色差信号に復調するＳＥＣＡＭ色差復調回路と、
前記入力される映像信号がＮＴＳＣ信号又はＰＡＬ信号の場合に、前記入力信号を復調するＮＴＳＣ／ＰＡＬ色差復調回路と、
前記バーストゲートパルス生成回路から出力されるバーストゲートパルスを基準として、前記可変型ＦＭ復調回路から出力される復調信号からバースト信号部分を抜き取るバースト抜き取り回路と、
前記バースト抜き取り回路から出力されるバースト復調信号と所定値とを比較する比較回路とを備えた
ことを特徴とするバースト周波数判別回路。
【請求項４】
前記請求項３に記載のバースト周波数判別回路において、
前記水平同期分離回路は、
前記入力される映像信号から水平同期信号を分離し、この分離した水平同期信号の立上りエッジを検出する立上りエッジ検出型であり、
前記バーストゲートパルス生成回路は、
前記水平同期分離回路で検出された水平同期信号の立上りエッジに基づいてバーストゲートパルスを生成する
ことを特徴とするバースト周波数判別回路。
【請求項５】
前記請求項３に記載のバースト周波数判別回路において、
前記水平同期分離回路及び前記バーストゲートパルス生成回路は、
前記クロック切替回路に入力される前記クロック切替信号によって切り替わらない固定クロックを動作クロックとして動作する
ことを特徴とするバースト周波数判別回路。
【請求項６】
クロック切替信号を受け、このクロック切替信号に基づいてバースト周波数判別回路の動作クロックを１７．７ＭＨｚクロックと１４．３ＭＨｚクロックとに切り替えるクロック切替回路と、
入力される映像信号からクロマ信号を分離するバンドパスフィルタ回路と、
前記入力される映像信号から水平同期信号を分離する水平同期分離回路と、
前記水平同期分離回路からバースト信号の開始位置を検出してバースト前エッジ検出信号を出力するバースト前エッジ検出回路と、
前記バースト前エッジ検出回路から出力されるバースト前エッジ検出信号を基準としてバースト信号位置に追従したバーストゲートパルスを生成する追従型バーストゲートパルス生成回路と、
前記バンドパスフィルタ回路から出力されるクロマ信号から周波数成分を復調すると共に、この復調の際に前記クロック切替信号によって復調中心周波数を可変する可変型ＦＭ復調回路と、
前記可変型ＦＭ復調回路から出力される復調信号をＳＥＣＡＭ信号の色差信号に復調するＳＥＣＡＭ色差復調回路と、
前記追従型バーストゲートパルス生成回路から出力されるバーストゲートパルスを基準として、前記可変型ＦＭ復調回路から出力される復調信号からバースト信号部分を抜き取るバースト抜き取り回路と、
前記バースト抜き取り回路から出力されるバースト復調信号と所定値とを比較する比較回路とを備えた
ことを特徴とするバースト周波数判別回路。
【請求項７】
前記請求項６に記載のバースト周波数判別回路において、
前記バンドパスフィルタ回路とは別途に、前記入力される映像信号から広帯域のクロマ信号を分離する他のバンドパスフィルタ回路と、
前記バンドパスフィルタ回路と前記他のバンドパスフィルタ回路とをクロック切替信号によって切り替えるバンドパスフィルタ切替回路とを備えた
ことを特徴とするバースト周波数判別回路。
【請求項８】
前記請求項７に記載のバースト周波数判別回路において、
前記バンドパスフィルタ切替回路は、
前記クロック切替回路が１７．７ＭＨｚクロック側に切り替えた場合には、前記バンドパスフィルタ回路側に切り替え、前記クロック切替回路が１４．３ＭＨｚクロック側に切り替えた場合には、前記他のバンドパスフィルタ回路側に切り替える
ことを特徴とするバースト周波数判別回路。
【請求項９】
前記請求項３又は６に記載のバースト周波数判別回路において、
前記可変型ＦＭ復調回路は、
前記バンドパスフィルタ回路からのクロマ信号を、位相が９０°異なる信号に変換するＨｉｌｂｅｒｔ変換回路と、
前記Ｈｉｌｂｅｒｔ変換回路の出力を受けるアークタンジェント回路と、
前記アークタンジェント回路の出力信号を微分する微分回路と、
前記クロック切替回路が１４．３ＭＨｚクロック側に切り替えた場合には、１７．７ＭＨｚクロック側の場合に比較して復調中心周波数を下げるよう可変に設定すると共に、前記微分回路の出力信号を前記可変に設定された復調中心周波数の信号に変換する中心周波数切替型デビエーション回路とを備える
ことを特徴とするバースト周波数判別回路。
【発明の詳細な説明】
【技術分野】
【０００１】
本発明は、例えばＮＴＳＣ方式やＰＡＬ方式などのように、複数の放送信号を処理できる映像信号処理において、放送信号のバースト周波数を判別して放送方式の判別を行なうバースト周波数判別回路に関する。
【背景技術】
【０００２】
カラーテレビジョン放送方式には、ＮＴＳＣやＰＡＬなどの様々な方式がある。例えば、ＮＴＳＣ方式では色副搬送波周波数が３．５７９５４５ＭＨｚ、ＰＡＬ方式では色副搬送波周波数が４．４３３６１８７５ＭＨｚである。ヨーロッパなどでは、１つの地域で複数の放送方式が受信できる地域もあるため、テレビやビデオ等の複数のカラーテレビジョン放送を扱う機器には、複数の放送方式に対応したものがあり、それらの機器においては、放送方式を外部から手動で設定したり、自動で判別できる放送方式自動判別装置を設けて、映像信号の放送方式を自動判別して、それに応じた方法で信号処理を行なう必要がある。
【０００３】
前記複数のカラーテレビジョン方式の中でも、ＮＴＳＣ方式とＰＡＬ方式とを判別する場合には、色副搬送波周波数の違いによって、放送方式を判別する方法がある。
【０００４】
このような従来の放送方式判別装置として、例えば特許文献１に記載されたものがある。図６は従来の放送方式判別装置の構成を示すブロック図である。同図において、入力映像信号（Ｃ信号）からバースト信号を抜き取るバースト抜き取り回路１０１と、前記バースト信号の振幅を所定の値に制御するＡＣＣ（Auto Color Control）回路１０２と、前記ＡＣＣ回路１０２から出力されたバースト信号に基づいて該バースト信号と同じ周波数の発振信号を発生するＡＰＣ（Auto Phase Control）回路１１１と、放送方式を自動判別してその判別結果を制御信号として出力する自動判別回路１０７と、前記自動判別回路１０７から出力された制御信号を受けるスイッチ１０８とを備え、前記スイッチ１０８は、前記受けた制御信号に基づいて、ＮＴＳＣ水晶発振器１０９及びＰＡＬ水晶発振器１１０の何れか一方を選択する。
【０００５】
前記ＡＰＣ回路１１１は、位相差回路１０６から出力された信号を用いて、前記ＡＣＣ回路１０２から出力されたバースト信号の位相検波を行う位相検波回路１０３と、前記位相検波回路１０３から出力される信号の高周波成分を除去し、低周波信号を出力するローパスフィルタ（ＬＰＦ）１０４と、前記ＬＰＦ１０４から出力された低周波信号に基づいて発振周波数を制御するＶＣＯ（Volatage Controled Oscillator ）１０５と、前記ＶＣＯ１０５から出力された発振信号に所定の位相差を加算して出力する位相差回路１０６とを備えたものである。
【０００６】
以上のように構成された従来の放送方式判別装置の動作について説明する。Ｃ信号が入力されると、バースト抜き取り回路１０１によりバースト信号が抜き取られ、ＡＣＣ回路１０２に出力される。そして、このバースト信号は、ＡＣＣ回路１０２により、その振幅が検出されて、所定の振幅値になるよう制御された後、ＡＰＣ回路１１１に出力される。これにより、映像信号の色の濃さを一定に保つことができる。
【０００７】
前記ＡＰＣ回路１１１では、ＡＣＣ回路１０２から出力されるバースト信号と同じ周波数及び位相を持ったクロックが発振信号として出力されるよう位相制御が行われる。先ず、位相検波回路１０３では、前記ＡＣＣ回路１０２より出力されたバースト信号の位相検波が行われる。検波された位相はＬＰＦ１０４により高周波成分を除去されて、ＶＣＯ１０５に出力される。ＶＣＯ１０５は、スイッチ１０８によりＮＴＳＣ水晶発振器１０９又はＰＡＬ水晶発振器１１０に接続されており、その何れか一方の発振器から出力された発振信号の発振周波数を、前記ＬＰＦ１０４から出力される信号に応じて制御し、色復調のための基準副搬送波として色復調回路に出力される。このように、ＡＰＣ回路１１１は、位相検波回路１０３より出力される位相誤差がゼロになるよう、スイッチ１０８で選択された発振器の発振周波数を、ＡＣＣ回路１０２からのバースト信号に基づいて制御し、基準副搬送波を出力する。
【０００８】
一方、前記位相検波回路１０３から自動判別回路１０７に対してバーストロックＯＮ／ＯＦＦ信号Ｓ１０３が出力される。自動判別回路１０７では、このバーストロックＯＮ／ＯＦＦ信号Ｓ１０３に基づいて、前記入力映像信号（Ｃ信号）の放送方式と本装置の放送方式が一致しているか否かが判断される。一致していると判断された場合には、スイッチ１０８はそのまま維持され、一致していないと判断された場合には、スイッチ１０８を反対側へ接続するよう制御信号を出力し、他方の水晶発振器を選択する。
【０００９】
ここで、自動判別回路１０７の放送方式の判別方法を説明する。例えば、入力映像信号の放送方式がＰＡＬ方式であって、スイッチ１０８がＮＴＳＣ水晶発振器１０９を選択していた場合、ＡＰＣ回路１１１はバーストロックしないため、位相検波回路１０３から出力されるバーストロックＯＮ／ＯＦＦ信号Ｓ１０３はＯＦＦ状態を示す。これにより、自動判別回路１０７は入力映像信号と本装置との放送方式は一致していないと判断し、他方のＰＡＬ水晶発振器１１０を選択するようスイッチ１０８に制御信号を出力する。一方、入力映像信号の放送方式がＮＴＳＣ方式であって、スイッチ１０８がＰＡＬ水晶発振器１０９を選択していた場合にも、前記と同様に、バーストロックＯＮ／ＯＦＦ信号Ｓ１０３はロックＯＦＦ状態を示すため、同様に自動判別回路１０７は入力映像信号と本装置との放送方式は一致していないと判断して、他方のＮＴＳＣ水晶発振器１０９を選択するようスイッチ１０８に制御信号を出力する。
【００１０】
このように、例えば、ＮＴＳＣ方式の信号が入力されて、ＮＴＳＣ方式で回路処理を行っている際には、正常に信号を処理し、正常信号を外部に出力することができ、一方、ＰＡＬ方式の入力信号が入力されると、先ずロックが外れて、放送方式の判別が行われ、その判別結果に基づいて前記回路処理をＰＡＬ方式に切り替えて、正常信号を出力するようにすることができる。
【特許文献１】特開平９−６５３４３号公報（第８図）
【発明の開示】
【発明が解決しようとする課題】
【００１１】
しかしながら、前記従来の放送方式判別装置では、前記ＡＰＣ回路１１１がロックしているか否かの判定に長時間を要するため、放送方式の判別を行っている間、つまり、異常信号が出力されている期間、例えばブルーバックやブラックバックに設定して、映像が出力されないようにするものの、この期間が長い機器は品位が良くない。
【００１２】
本発明の目的は、入力信号のバースト周波数を瞬時に判別して、その入力信号の放送方式を判別するバースト周波数判別回路を提供することにある。
【課題を解決するための手段】
【００１３】
前記課題を解決するため、本発明では、映像信号処理回路に含まれるＦＭ復調回路に着目し、そのＦＭ復調回路が入力映像信号から周波数成分を復調する機能を持つ点から、このＦＭ復調回路で得られる復調周波数成分信号を所定値と比較して、ＰＡＬ方式の信号かＮＴＳＣ方式の信号かのバースト周波数の判別を行うこととする。
【００１４】
すなわち、請求項１に記載の発明のバースト周波数判別回路は、１種類の動作クロックが入力されるバースト周波数判別回路において、入力される映像信号からクロマ信号を分離するバンドパスフィルタ回路と、前記入力される映像信号から水平同期信号を分離する水平同期分離回路と、前記水平同期分離回路により分離された水平同期信号に基づいてバーストゲートパルスを生成するバーストゲートパルス生成回路と、前記バンドパスフィルタ回路から出力されるクロマ信号から周波数成分を復調するＦＭ復調回路と、前記ＦＭ復調回路から出力される復調信号をＳＥＣＡＭ信号の色差信号に復調するＳＥＣＡＭ色差復調回路と、前記バーストゲートパルス生成回路から出力されるバーストゲートパルスを基準として、前記ＦＭ復調回路から出力される復調信号からバースト信号部分を抜き取るバースト抜き取り回路と、前記バースト抜き取り回路から出力されるバースト復調信号と所定値とを比較する比較回路とを備えたことを特徴とする。
【００１５】
請求項２記載の発明は、前記請求項１記載のバースト周波数判別回路において、前記ＦＭ復調回路は、前記バンドパスフィルタ回路からのクロマ信号を、位相が９０°異なる信号に変換するＨｉｌｂｅｒｔ変換回路と、前記Ｈｉｌｂｅｒｔ変換回路の出力を受けるアークタンジェント回路と、前記アークタンジェント回路の出力信号を微分する微分回路と、前記微分回路の出力信号を所定値の中心周波数の信号に変換するデビエーション回路とを備えることを特徴とする。
【００１６】
請求項３記載の発明のバースト周波数判別回路は、クロック切替信号を受け、このクロック切替信号に基づいてバースト周波数判別回路の動作クロックを１７．７ＭＨｚクロックと１４．３ＭＨｚクロックとに切り替えるクロック切替回路と、入力される映像信号からクロマ信号を分離するバンドパスフィルタ回路と、前記入力される映像信号から水平同期信号を分離する水平同期分離回路と、前記水平同期分離回路により分離された水平同期信号に基づいてバーストゲートパルスを生成するバーストゲートパルス生成回路と、前記バンドパスフィルタ回路から出力されるクロマ信号から周波数成分を復調すると共に、この復調の際に前記クロック切替信号によって復調中心周波数を可変にする可変型ＦＭ復調回路と、前記入力される映像信号がＳＥＣＡＭ信号の場合に、前記可変型ＦＭ復調回路から出力される復調信号をＳＥＣＡＭ信号の色差信号に復調するＳＥＣＡＭ色差復調回路と、前記入力される映像信号がＮＴＳＣ信号又はＰＡＬ信号の場合に、前記入力信号を復調するＮＴＳＣ／ＰＡＬ色差復調回路と、前記バーストゲートパルス生成回路から出力されるバーストゲートパルスを基準として、前記可変型ＦＭ復調回路から出力される復調信号からバースト信号部分を抜き取るバースト抜き取り回路と、前記バースト抜き取り回路から出力されるバースト復調信号と所定値とを比較する比較回路とを備えたことを特徴とする。
【００１７】
請求項４記載の発明は、前記請求項３に記載のバースト周波数判別回路において、前記水平同期分離回路は、前記入力される映像信号から水平同期信号を分離し、この分離した水平同期信号の立上りエッジを検出する立上りエッジ検出型であり、前記バーストゲートパルス生成回路は、前記水平同期分離回路で検出された水平同期信号の立上りエッジに基づいてバーストゲートパルスを生成することを特徴とする。
【００１８】
請求項５記載の発明は、前記請求項３に記載のバースト周波数判別回路において、前記水平同期分離回路及び前記バーストゲートパルス生成回路は、前記クロック切替回路に入力される前記クロック切替信号によって切り替わらない固定クロックを動作クロックとして動作することを特徴とする。
【００１９】
請求項６記載の発明は、クロック切替信号を受け、このクロック切替信号に基づいてバースト周波数判別回路の動作クロックを１７．７ＭＨｚクロックと１４．３ＭＨｚクロックとに切り替えるクロック切替回路と、入力される映像信号からクロマ信号を分離するバンドパスフィルタ回路と、前記入力される映像信号から水平同期信号を分離する水平同期分離回路と、前記水平同期分離回路からバースト信号の開始位置を検出してバースト前エッジ検出信号を出力するバースト前エッジ検出回路と、前記バースト前エッジ検出回路から出力されるバースト前エッジ検出信号を基準としてバースト信号位置に追従したバーストゲートパルスを生成する追従型バーストゲートパルス生成回路と、前記バンドパスフィルタ回路から出力されるクロマ信号から周波数成分を復調すると共に、この復調の際に前記クロック切替信号によって復調中心周波数を可変する可変型ＦＭ復調回路と、前記可変型ＦＭ復調回路から出力される復調信号をＳＥＣＡＭ信号の色差信号に復調するＳＥＣＡＭ色差復調回路と、前記追従型バーストゲートパルス生成回路から出力されるバーストゲートパルスを基準として、前記可変型ＦＭ復調回路から出力される復調信号からバースト信号部分を抜き取るバースト抜き取り回路と、前記バースト抜き取り回路から出力されるバースト復調信号と所定値とを比較する比較回路とを備えたことを特徴とする。
【００２０】
請求項７記載の発明は、前記請求項６に記載のバースト周波数判別回路において、前記バンドパスフィルタ回路とは別途に、前記入力される映像信号から広帯域のクロマ信号を分離する他のバンドパスフィルタ回路と、前記バンドパスフィルタ回路と前記他のバンドパスフィルタ回路とをクロック切替信号によって切り替えるバンドパスフィルタ切替回路とを備えたことを特徴とする。
【００２１】
請求項８記載の発明は、前記請求項７に記載のバースト周波数判別回路において、前記バンドパスフィルタ切替回路は、前記クロック切替回路が１７．７ＭＨｚクロック側に切り替えた場合には、前記バンドパスフィルタ回路側に切り替え、前記クロック切替回路が１４．３ＭＨｚクロック側に切り替えた場合には、前記他のバンドパスフィルタ回路側に切り替えることを特徴とする。
【００２２】
請求項９記載の発明は、前記請求項３又は６に記載のバースト周波数判別回路において、前記可変型ＦＭ復調回路は、前記バンドパスフィルタ回路からのクロマ信号を、位相が９０°異なる信号に変換するＨｉｌｂｅｒｔ変換回路と、前記Ｈｉｌｂｅｒｔ変換回路の出力を受けるアークタンジェント回路と、前記アークタンジェント回路の出力信号を微分する微分回路と、前記クロック切替回路が１４．３ＭＨｚクロック側に切り替えた場合には、１７．７ＭＨｚクロック側の場合に比較して復調中心周波数を下げるよう可変に設定すると共に、前記微分回路の出力信号を前記可変に設定された復調中心周波数の信号に変換する中心周波数切替型デビエーション回路とを備えることを特徴とする。
【００２３】
以上により、請求項１に記載の発明のバースト周波数判別回路では、水平同期分離回路、バーストゲートパルス生成回路及びバースト抜き取り回路により、入力信号のバースト信号部分の復調信号を得て、この復調信号を比較回路により所定値と比較し、その結果をバースト周波数判別信号として出力するので、従来のようにクロックがバースト信号にロックしたか否かを判断する必要がなくて、出力されるバースト周波数判別信号によって瞬時に入力信号がＮＴＳＣ方式の信号かＰＡＬ方式の信号かを判別して、機器の設定を切替えることができる。また、バンドパスフィルタ回路及びＦＭ復調回路をＳＥＣＡＭ色復調機能の回路部分と回路を共有できるので、回路規模も低減される。
【００２４】
また、請求項３に記載の発明のバースト周波数判別回路では、クロック切替信号に基づいて動作クロックを、ＰＡＬ方式の信号処理に用いる１７．７ＭＨｚと、ＮＴＳＣ方式の信号処理に用いる１４．３ＭＨｚとに切り替え、その切り替え後のクロックを用いてバースト周波数判別回路を含む映像信号処理回路を動作させながら、水平同期分離回路から出力される水平同期信号を基準にバーストゲートパルス生成回路からバーストゲートパルス信号を生成する。更に、バースト抜き取り回路により入力信号のバースト信号部分の復調信号を抜き取り、その復調信号を比較回路により所定値と比較し、その結果をバースト周波数判別信号として出力するので、瞬時にノイズに対しても誤判別しないバースト周波数判別信号を出力することができる。また、動作クロックを切り替えて、ＮＴＳＣ方式の信号とＰＡＬ方式の色信号とを復調するＮＴＳＣ／ＰＡＬ色差復調回路を共用することができるので、更に回路規模を削減することができる。
【００２５】
特に、請求項４記載の発明では、立上りエッジ検出型水平同期分離回路から出力される水平同期信号の立上りエッジ信号を基準にバーストゲートパルス生成回路がバーストゲートパルス信号を生成するので、動作クロックが切り替わっても、バースト信号部分を正確に抜き取ることが可能である。
【００２６】
また、請求項５に記載の発明のバースト周波数判別回路では、クロック切替信号によって切り替わらない固定クロックを用いて、水平同期分離回路とバーストゲートパルス生成回路とを動作させるので、入力信号がＮＴＳＣ方式とＰＡＬ方式とに切り替わった場合であっても、正確にバースト信号部分をバースト抜き取り回路で抜き取ることができる。そして、バースト抜き取り回路から出力されるバースト信号部分の復調信号を比較回路により所定値と比較し、その結果をバースト周波数判別信号として出力するので、瞬時にノイズに対しても誤判別せず、更により精度の高いバースト周波数判別信号を出力することができる。
【００２７】
加えて、請求項６に記載の発明のバースト周波数判別回路では、入力される映像信号から水平同期分離回路で水平同期信号を検出し、この信号を基準としてバースト前エッジ検出回路からバースト前エッジ検出信号を出力して、バースト信号の開始位置を検出し、更に追従型バーストゲートパルス生成回路において、入力される映像信号をＦＭ復調回路で復調して、前記バースト前エッジ検出信号がＨｉｇｈの期間中に前記復調信号が所定値よりも大きくなる位置がバースト信号部分の開始位置であるとして、この開始位置からバーストゲートパルス信号を生成する。更に、バースト抜き取り回路によって、ＦＭ復調回路から出力される復調信号から更に正確にバースト信号部分を抜き取り、このバースト信号部分の復調信号を比較回路により所定値と比較し、その結果をバースト周波数判別信号として出力するので、瞬時にノイズに対しても誤判別せず、ＶＴＲの再生信号等のバースト信号重畳位置の位置ズレに対しても高精度なバースト周波数判別信号を出力することができる。
【００２８】
更に、請求項７に記載の発明のバースト周波数判別回路では、入力される映像信号からクロマ信号を分離するバンドパスフィルタ回路に加えて、広帯域のクロマ信号を分離する他のバンドパスフィルタ回路を備えて、クロック切替信号によって動作クロックが１７．７ＭＨｚに切り替えられた場合には通常のバンドパスフィルタ回路を選択し、動作クロックが１４．３ＭＨｚの場合には広帯域の他のバンドパスフィルタ回路を選択するので、バンドパスフィルタ回路部分でバースト信号の周波数成分が減衰しないようにしながら、ＦＭ復調回路で復調を行い、追従型バーストゲートパルス生成回路から出力されるバーストゲートパルス信号によりバースト抜き取り回路でバースト信号部分を抜き取り、このバースト信号部分の復調信号を比較回路により所定値と比較し、その結果をバースト周波数判別信号として出力するので、瞬時に判別を行い、振幅の小さい信号やバースト位置のずれた信号に対しても、高精度なバースト周波数判別信号を出力することができる。
【発明の効果】
【００２９】
以上説明したように、請求項１〜請求項９記載のバースト周波数判別回路によれば、ＳＥＣＡＭ信号処理回路のＦＭ復調回路と回路を共用して、回路の削減を図りながら、ＮＴＳＣ信号かＰＡＬ信号かのバースト周波数の判別を瞬時に行右ことが可能である。
【発明を実施するための最良の形態】
【００３０】
以下、本発明の実施形態について説明する。
【００３１】
（第１の実施形態）
図１、図７及び図８は、本実施形態に係るバースト周波数判別回路を示す。
【００３２】
図１は本実施形態に係るバースト周波数判別回路を含む映像信号処理回路の構成を示す図である。
【００３３】
図１において、本実施形態におけるバースト周波数判別回路は、ＳＥＣＡＭ処理用バンドパスフィルタ（ＳＥＣＡＭ  ＢＰＦ）回路２０、バースト抜き取り回路１４、ＦＭ復調回路１００、積分回路１６、所定値１５、比較器（比較回路）１９、ＳＥＣＡＭ色差復調回路２１、ＰＡＬ色差復調回路２２、水平同期分離回路１７、ＢＰＧ（バーストゲートパルス）生成回路１８を備える。また、前記ＦＭ復調回路１００は、Ｈｉｌｂｅｒｔ変換回路１０、アークタンジェント回路１１、微分回路１２、デビエーション回路１３を備える。
【００３４】
次に、以上のように構成された本実施形態におけるバースト周波数判別回路の詳細な構成及び動作について、図７と図８を参照しながら説明する。
【００３５】
−ＳＥＣＡＭ信号が入力された場合−
図７は、本実施形態におけるバースト周波数判別回路にＳＥＣＡＭ信号が入力された場合の各部の信号波形を示す図である。
【００３６】
先ず、本実施形態におけるバースト周波数判別回路にＳＥＣＡＭ信号が入力された場合について図７を用いて説明する。ＳＥＣＡＭ方式のカラー放送は主に欧州の一部や中近東で行われており、ＮＴＳＣ方式やＰＡＬ方式とは特に色変調方式が異なり、ＮＴＳＣ方式やＰＡＬ方式はＡＭ変調されているのに対して、ＳＥＣＡＭ方式はＦＭ変調されている。具体的には、Ｒ−Ｙ信号は搬送周波数が４．４０６２５ＭＨｚでＦＭ変調され、Ｂ−Ｙ信号は搬送周波数が４．２５ＭＨｚでＦＭ変調されており、このＲ−Ｙ信号とＢ−Ｙ信号とが１水平期間毎に交互に送信（線順次）されている。また、ＳＥＣＡＭ方式は輝度信号がＰＡＬ方式と同じであるために、ＳＥＣＡＭ方式を処理するクロックはＰＡＬ方式で一般に使用されている１７．７ＭＨｚが使用される場合が多く、本実施形態におけるバースト周波数判別回路も１７．７ＭＨｚを用いて処理を行う。
【００３７】
図７（ａ）に示すＳＥＣＡＭ信号が入力されると、ＳＥＣＡＭ  ＢＰＦ回路２０でクロマ成分が分離されて、図７（ｂ）の信号が出力される。更に、ＦＭ復調回路１００によってＳＥＣＡＭ  ＢＰＦ回路２０から出力されるクロマ信号がＦＭ復調されて、図７（ｃ）の復調信号を経て、ＳＥＣＡＭ色差復調回路２１に入力される。ＳＥＣＡＭ色差復調回路２１では、Ｒ―Ｙ信号とＢ―Ｙ信号とで異なる搬送周波数による補正を行うと同時に、線順次されている信号をＲ―Ｙ信号とＢ―Ｙ信号とに分離することにより、図７（ｄ１）及び（ｄ２）のようなＳＥＣＡＭ色差信号を出力する。
【００３８】
ＦＭ復調回路１００では入力されるＳＥＣＡＭ  ＢＰＦ回路２０の出力信号を
Ｘ（ｔ）＝Ａｓｉｎ ωｔ  （Ｓ１）
とすると、Ｈｉｌｂｅｌｔ変換回路１１で位相が９０°異なる信号Ｙ（ｔ）が、
Ｙ（ｔ）＝Ａｃｏｓ ωｔ  （Ｓ２）
として得ることができる。これらの信号をアークタンジェント回路１１において、
【数１】
2005341192.tif 000003
とωｔを出力し、更に微分回路１２によりωを求めることができる。つまり、ＦＭ復調回路１００によってＳＥＣＡＭ  ＢＰＦ回路回路２０から出力される信号の周波数を求めることができる。
【００３９】
更に、デビエーション回路１３において、例えば、ＳＥＣＡＭ色信号の搬送周波数である４．２５ＭＨｚと４．４０６２５ＭＨｚとの中心である４．３３ＭＨｚを中心周波数とした信号に変換する。
【００４０】
このように、ＳＥＣＡＭ方式の映像信号が入力された場合には、本実施形態におけるバースト周波数判別回路を含む映像信号処理回路は、ＳＥＣＡＭ色復調回路の役割を果たして、ＳＥＣＡＭ色差信号を出力することができる。
【００４１】
−ＰＡＬ信号が入力された場合−
次に、本実施形態におけるバースト周波数判別回路にＰＡＬ信号が入力された場合について、図８を用いて説明する。ＰＡＬ方式は上述したようにＡＭ変調されているために、ＰＡＬ色差復調回路２２によって復調される。そのため、ＳＥＣＡＭ信号の処理に使用するＳＥＣＡＭ  ＢＰＦ回路２０及びＦＭ復調回路１００は未使用となる。つまり、ＰＡＬ信号が入力された場合には、前記ＳＥＣＡＭ  ＢＰＦ回路２０及びＦＭ復調回路１００をバースト周波数判別処理に使用することができる。
【００４２】
図８は、本実施形態におけるバースト周波数判別回路にＰＡＬ信号が入力された場合の各部の信号波形を示し、特にバースト信号部分を示している。
【００４３】
図８（ａ）に示すＰＡＬ信号が入力されると、ＳＥＣＡＭ  ＢＰＦ回路２０でクロマ信号部分が分離される（図８（ｂ））。また水平同期分離回路１７では、入力映像信号の水平同期信号を分離して、その立下りエッジを検出する（図８（ｃ））。一方、ＦＭ復調回路１００は、前記ＳＥＣＡＭ信号と同じ動作を行いクロマ信号の周波数成分を出力する。ＦＭ復調回路１００は、上述したように４．３３ＭＨｚを中心周波数とした信号に変換する。ＰＡＬ信号のバースト周波数は４．４３ＭＨｚであるため、ＦＭ復調回路１００から出力されるバースト信号部分は中心値よりも大きい値になる（図８（ｄ））。
【００４４】
更に、前記水平同期信号の立下りエッジ位置を基準としてバースト信号部分を抜き出すためのバーストゲートパルス（ＢＧＰ）信号がＢＧＰ生成回路１８で生成される（図８（ｅ））。バースト抜き取り回路１４では、前記バーストゲートパルス信号がＨｉｇｈの期間においてＦＭ復調回路１００から出力される復調信号からバースト信号部分のみが抜き取られ（図８（ｆ１））、積分回路１６でバーストゲートパルス信号がＨｉｇｈ期間の間で積分をする（図８（ｇ１））。この積分回路１６の出力を所定値１５と比較回路１９で比較を行い、その結果をバースト周波数判別信号として出力する。ＰＡＬ信号はバースト周波数は４．４３ＭＨｚであり、バースト周波数判別信号はＨｉｇｈ信号を出力するようになる。
【００４５】
−ＮＴＳＣ信号が入力された場合−
続いて、本実施形態におけるバースト周波数判別回路にＮＴＳＣ信号が入力された場合について説明する。ＮＴＳＣ方式はバースト周波数が３．５８ＭＨｚになるために、ＦＭ復調回路１００から出力される復調信号からバースト信号部分のみを抜き取った信号は、中心値である４．３３ＭＨｚよりも小さい値になる（図８（ｆ２））。この信号を積分回路１６で積分した信号は所定値１５よりも小さいために、比較回路１９から出力されるバースト周波数判別信号は、Ｌｏｗ信号を出力するようになる。
【００４６】
以上により、本実施形態におけるバースト周波数判別回路によれば、ＳＥＣＡＭ  ＢＰＦ回路２０及びＦＭ復調回路１００を備え、水平同期分離回路１７、ＢＧＰ生成回路１８、バースト抜き取り回路１４により、入力信号のバースト信号部分の復調信号を得て、この復調信号を積分回路１６及び比較器１９により所定値１５と比較し、その結果をバースト周波数判別信号として出力するようにしたので、クロックがバースト信号にロックしたか否かを判断する必要がなく、出力されるバースト周波数判別信号により瞬時に入力信号の放送方式がＮＴＳＣ方式かＰＡＬ方式かを判別して、機器の設定を切替えることができる。また、ＦＭ復調方式は一般的にノイズに対して強いので、誤判別し難いという効果もある。
【００４７】
更に、本実施形態におけるバースト周波数判別回路において、ＳＥＣＡＭ  ＢＰＦ回路２０とＦＭ復調回路１００とをＳＥＣＡＭ色復調機能を持つ回路と回路を共有しているので、回路規模も削減することができる。
【００４８】
（第２の実施形態）
次に、図２、図９及び図１０を用いて、本実施形態に係るバースト周波数判別回路について説明する。
【００４９】
図２は、本実施形態に係るバースト周波数判別回路を含む映像信号処理回路の構成を示す図、図９及び図１０は、本実施形態におけるバースト周波数判別回路にＮＴＳＣ方式の信号又はＰＡＬ方式の信号が入力された場合の各部の信号波形を示している。
【００５０】
図２において、本実施形態におけるバースト周波数判別回路は、ＳＥＣＡＭ  ＢＰＦ回路２０、バースト抜き取り回路１４、ＦＭ復調回路２００、積分回路１６、所定値１５、比較器１９、ＳＥＣＡＭ色差復調回路２１、ＮＴＳＣ／ＰＡＬ色差復調回路２３、立上りエッジ検出型水平同期分離回路２９、バーストゲートパルス（ＢＰＧ）生成回路１８、１７．７ＭＨｚクロック生成回路２５、１４．３ＭＨｚクロック生成回路２６、クロック選択回路２７を備える。前記ＦＭ復調回路２００は、Ｈｉｌｂｅｒｔ変換回路１０、アークタンジェント回路１１、微分回路１２、中心周波数変切替デビエーション回路２８を備える。尚、前記第１の実施形態と同様の回路については、同じ番号を付け、ここではその説明を省略する。
【００５１】
ＮＴＳＣ方式とＰＡＬ方式のクロマ信号を色差信号に復調する際に、上述したようにＮＴＳＣ方式では１４．３ＭＨｚで処理し、ＰＡＬ方式では１７．７ＭＨｚで処理するのが一般に知られており、ＰＡＬ方式の処理は位相反転（Phase Alternate）処理をする必要があるが、その他の色差信号に復調する回路は、ＮＴＳＣ方式とＰＡＬ方式とで動作クロックを切替えるだけで同じ回路を共用することができる。
【００５２】
図２において、出力されるバースト周波数判別信号に応じてクロック切替信号を制御して、バースト周波数判別信号が「Ｈｉｇｈ」の時に入力信号の放送方式がＰＡＬ方式であると判断して、クロック選択回路２７は１７．７ＭＨｚクロック生成回路２５のクロックを選択し、一方、バースト周波数判別信号が「Ｌｏｗ」の時に入力信号の放送方式がＮＴＳＣ方式であると判断して、クロック選択回路２７は１４．３ＭＨｚクロック生成回路２６のクロックを選択する。この選択されたクロックによってバースト周波数判別回路を含む映像信号処理回路を動作させる。
【００５３】
このとき、水平同期分離回路として、前記第１の実施形態と同じ水平同期分離回路１７を使用した場合には、ＢＰＧ生成回路１８は、水平同期分離回路１７から出力される水平同期信号の立下りエッジを基準として動作クロックを所定数だけカウントした後の位置、例えば動作クロックが１７．７ＭＨｚの場合には「１７．７ＭＨｚ × ８０クロック分の位置」、動作クロックが１４．３ＭＨｚの場合には「１４．３ＭＨｚ × ８０クロック分の位置」にてＢＧＰ信号を出力する。すなわち、ＢＧＰ信号は、図９の（ｄ１）と（ｄ２）の位置に各々出力されることになり、図９の（ｄ１）に示したＢＧＰ信号は、ＦＭ復調回路２００から出力されるバースト信号部分とタイミングが一致するが、図９の（ｄ２）に示したＢＧＰ信号では、バースト信号部分とタイミングが一致しないことになる。
【００５４】
そこで、本実施形態に係るバースト周波数判別回路では、立上りエッジ検出型水平同期分離回路２９を用いている。水平同期信号の立上りエッジからバースト信号までの時間は短いので、図１０（ｄ１）及び（ｄ２）に示したように、動作クロックが切り替わってもＢＧＰ信号とバースト信号部分のタイミングとが大きくずれない様になる。また、多少のずれは積分回路１６で吸収できるために問題にはならない。
【００５５】
次に、ＦＭ復調回路２００について説明する。ＦＭ復調回路２００に入力される信号は、
【数２】
2005341192.tif 000004
と表される。式Ｓ（４）においてｆ０は周波数偏移、ｆｓはサンプリング周波数、Ｄｆはデビエーション周波数、Ｘ（ｉ・Ｔ）はｉ番目の時点における変調信号である。この信号をＨｉｌｂｅｒｔ変換回路１０、アークタンジェント回路１１、微分回路１２で順次、処理を行うと、
【数３】
2005341192.tif 000005
を得ることができる。ＳＥＣＡＭ信号の処理を行う場合、動作クロックが１７．７ＭＨｚのときには、前記のように中心周波数を４．３３ＭＨｚにしている。この回路について、動作クロックのみを１４．３ＭＨｚに切替えると、中心周波数は、
【数４】
2005341192.tif 000006
となる。
【００５６】
すなわち、動作クロックが１４．３ＭＨｚに切り替わった場合には、バースト信号が３．５８ＭＨｚであるＮＴＳＣ信号が入力されても、バースト信号が４．４３ＭＨｚであるＰＡＬ信号が入力されても、その何れの場合にも、中心周波数である３．５ＭＨｚよりも大きい周波数となるために、バースト周波数を正常に検出することができない。
【００５７】
そこで、本実施形態におけるバースト周波数判別回路では、中心周波数切替デビエーション回路２８を用いることにより、クロック切替信号によって動作クロックが１４．３ＭＨｚに切り替わった場合に、中心周波数が例えば３．５８ＭＨｚと４．４３ＭＨｚの中心である４．０ＭＨｚになるように切り替えるようにしている。
【００５８】
以上により、本実施形態におけるバースト周波数判別回路によれば、クロック切替信号により動作クロックを１７．７ＭＨｚ又は１４．３ＭＨｚに切り替え、前記クロックを用いてバースト周波数判別回路を含む映像信号処理回路を動作させ、また、立上りエッジ検出型水平同期分離回路２９から出力される水平同期信号の立上りエッジ信号を基準にＢＧＰ生成回路１８からＢＧＰ信号を生成する。更に、バースト抜き取り回路１４により入力信号のバースト信号部分の復調信号を抜き取り、そのバースト信号部分の復調信号を積分回路１６で積分した後、比較器１９により所定値１５と比較し、その結果をバースト周波数判別信号として出力するようにしたので、瞬時にノイズに対しても誤判別しないバースト周波数判別信号を出力することができる。また、動作クロックを切り替えることによりＮＴＳＣとＰＡＬ方式の色信号を復調するＮＴＳＣ／ＰＡＬ色差復調回路２３を共用することができるので、更に回路規模を削減することができる。
【００５９】
（第３の実施形態）
以下、図３を用いて、本実施形態に係るバースト周波数判別回路について説明する。
【００６０】
図３は、本実施形態に係るバースト周波数判別回路を含む映像信号処理回路の構成を示す図である。図３において、本実施形態におけるバースト周波数判別回路は、固定クロックで動作する水平同期分離回路３０及びＢＧＰ生成回路３１を備える。
【００６１】
その他は、前記第２の実施形態におけるバースト周波数判別回路と同じ回路で構成されている。従って、前記第２の実施形態と同様の回路は同じ番号を付け、ここでは説明を省略する。
【００６２】
水平同期信号を分離して、この水平同期信号を基準信号として生成する水平同期分離回路３０では、前記のように水平同期信号の立下りエッジを基準にする場合と、立上りエッジを基準にする場合とがある。水平同期信号の立上りエッジ付近にはバースト信号があり、バースト信号の減衰度合いや信号位置ズレ等に起因して、立上りエッジにはノイズが混入し易いため、立下りエッジがよく使用される。
【００６３】
図３において、固定クロックは、例えば２７ＭＨｚ等の、クロック切替信号によって切り替わらないクロックである。入力映像信号は、前記固定クロックで動作している水平同期分離回路３０に入力され、この水平同期分離回路３０により、水平同期信号の立下りエッジ信号が出力される。ＢＧＰ生成回路３１では、前記立下りエッジを基準として所定クロック数をカウントした位置で、ＢＧＰ信号が出力されする。ＮＴＳＣ信号とＰＡＬ信号とでは、水平同期信号の立下りエッジからバースト信号の開始位置までの時間は、ほぼ同じであるので、水平同期分離回路３０とＢＧＰ生成回路３１とを固定クロックで動作させることによって、入力信号がＮＴＳＣ信号及びＰＡＬ信号の何れにおいても、ＢＧＰ生成回路３１から出力されるＢＧＰ信号は、入力信号のバースト信号部分にかかる。従って、バースト抜き取り回路１４により、ＦＭ復調回路２００から出力される復調信号から正確にバースト信号部分を抜き出すことができて、積分回路１６及び比較器１９により所定値１５と比較した結果をバースト周波数判別信号として出力することができる。
【００６４】
以上により、本実施形態におけるバースト周波数判別回路によれば、クロック切替信号によって切り替わらない固定クロックを用いて、水平同期分離回路３０とＢＧＰ生成回路３１を動作させることにより、入力信号が切り替わった場合であっても、正確にバースト信号部分をバースト抜き取り回路１４で抜き取ることができる。そして、バースト抜き取り回路１４から出力されるバースト信号部分の復調信号を積分回路１６で積分して、比較器１９により所定値１５と比較し、その結果をバースト周波数判別信号として出力するようにしたので、瞬時にノイズに対しても誤判別せず、更に精度のより高いバースト周波数判別信号を出力することができる。
【００６５】
（第４の実施形態）
以下、図４及び図１１を用いて、本実施形態に係るバースト周波数判別回路について説明する。
【００６６】
図４は、本実施形態に係るバースト周波数判別回路を含む映像信号処理回路の構成を示す図を示し、図１１は、特に後述するバースト前エッジ検出回路４１及び追従型ＢＧＰ生成回路１８の動作を説明するための各部の信号波形を示す図である。
【００６７】
図４において、本実施形態におけるバースト周波数判別回路は、水平同期分離回路４０、バースト前エッジ検出回路４１、追従型ＢＧＰ生成回路４２、所定値４３を備え、その他は前記第２の実施形態におけるバースト周波数判別回路と同じ回路で構成されている。従って、前記第２の実施形態と同様の回路は同じ番号を付け、ここでは説明を省略する。
【００６８】
入力される映像信号がＳＥＣＡＭ  ＢＰＦ回路２０によりクロマ信号を分離され、クロック切替信号によって復調の中心周波数が切り替えられるＦＭ復調回路２００において、ＦＭ復調を行う。一方、入力される映像信号は、水平同期分離回路４０でその立下り部分が検出されて（図１１（ｂ））バースト前エッジ検出回路４１は、前記水平同期分離回路４０から出力される立下りエッジ信号から、図１１（ｄ）に示すように、所定期間後から一定期間の間でＨｉｇｈレベルになる信号を出力する。追従型ＢＧＰ生成回路４２では、前記バースト前エッジ検出信号がＨｉｇｈの期間において、ＦＭ復調回路２００から出力される復調信号が所定値４３よりも大きくなる位置を算出する。この位置が入力される映像信号のバースト信号開始位置になる（図１１（ｅ））。更に、追従型ＢＧＰ生成回路４２は、前記バースト信号開始位置を基準としたＢＧＰ信号を出力する。
【００６９】
映像信号、特に、ＶＴＲの再生信号等では、重畳されているバースト信号の位置は、ＮＴＳＣ方式やＰＡＬ方式の規格通りの位置ではなく、前後にずれている場合が多い。前記追従型ＢＧＰ生成回路４２では、バースト信号が規格通りの位置からずれている場合においても、バースト信号を検出することにより、バースト信号のずれに追従したＢＧＰ信号を出力することができる。
【００７０】
バースト抜き取り回路１４は、ＦＭ復調回路２００から出力される復調信号から更に正確にバースト信号部分を抜き取り、このバースト信号部分の変調信号が積分回路１６で積分されて、比較器１９により所定値１５と比較され、その結果がバースト周波数判別信号として出力される。
【００７１】
以上により、本実施形態におけるバースト周波数判別回路によれば、入力される映像信号から水平同期分離回路４０で水平同期信号の立下りエッジを検出し、この立下りエッジ信号を基準としてバースト前エッジ検出回路４１からバースト前エッジ検出信号を出力して、バースト信号の開始位置を検出し、更に入力される映像信号をＦＭ復調回路２００で復調して、追従型ＢＧＰ生成回路４２において、前記バースト前エッジ検出信号がＨｉｇｈの期間中に前記復調信号が所定値４３よりも大きくなる位置がバースト信号部分の開始位置であるとして、この開始位置からＢＧＰ信号を生成する。更に、バースト抜き取り回路１４によって、ＦＭ復調回路２００から出力される復調信号から更に正確にバースト信号部分を抜き出し、そのバースト信号部分の変調信号を積分回路１６で積分し、その積分値を比較器１９により所定値１５と比較し、その結果をバースト周波数判別信号として出力するようにしたので、瞬時にノイズに対しても誤判別せず、ＶＴＲの再生信号等のバースト信号重畳位置の位置ズレに対しても高精度なバースト周波数判別信号を出力することができる。
【００７２】
（第５の実施形態）
以下、図５を用いて、本実施形態に係るバースト周波数判別回路について説明する。
【００７３】
図５は、本実施形態に係るバースト周波数判別回路を含む映像信号処理回路の構成を示す図である。図５において、本実施形態におけるバースト周波数判別回路は、ＳＥＣＡＭ  ＢＰＦ回路２０、広帯域ＢＰＦ回路（他のバンドパスフィルタ回路）５０、クロック選択信号により前記ＳＥＣＡＭ  ＢＰＦ回路２０からの出力信号と前記広帯域ＢＰＦ回路５０からの出力信号との何れか一方を選択するＢＰＦ選択回路５１とを備える。その他は、前記第２の実施形態におけるバースト周波数判別回路と同じ回路で構成されているので、前記第２の実施形態と同様の回路は同じ番号を付け、ここでは説明を省略する。
【００７４】
ＳＥＣＡＭ  ＢＰＦ回路２０は、ＳＥＣＡＭ信号からクロマ信号を分離するためのバンドパスフィルタである。ＳＥＣＡＭ信号に重畳されるクロマ信号は３．９ＭＨｚから４．７５ＭＨｚの帯域を有しており、この帯域を分離するのに適した周波数特性のフィルタである。
【００７５】
入力される映像信号がＰＡＬ方式の場合には、クロック切替信号により１７．７ＭＨｚが選択されており、これはＳＥＣＡＭ方式が入力された場合と同じ周波数である。そのため、ＳＥＣＡＭ  ＢＰＦ回路２０は、ＳＥＣＡＭ信号を処理する場合と同じ３．９ＭＨｚから４．７５ＭＨｚを通すバンドパスフィルタとなり、ＰＡＬ方式のバースト信号である４．４３ＭＨｚも通過することができる。
【００７６】
この場合において、ＮＴＳＣ方式の信号が入力された際には、バースト信号の周波数は３．５８ＭＨｚであるために、ＳＥＣＡＭ  ＢＰＦ回路２０により振幅が減衰する。特に、この際に入力されたＮＴＳＣ方式の信号振幅が非常に小さいときには、ＳＥＣＡＭ  ＢＰＦ回路２０によって振幅が減衰して振幅成分が除去されて、ＦＭ復調回路２００の復調範囲外になると、ＦＭ復調回路２００から出力される復調信号は、０ＭＨｚに近い周波数になることがある。しかし、この場合には、前述のように中心周波数が４．３３ＭＨｚであり、復調信号が３．５８ＭＨｚよりも小さい０ＭＨｚなっても、バースト周波数判別回路から出力されるバースト周波数判別信号は正常値を出力する。
【００７７】
一方、入力される映像信号がＮＴＳＣ方式の場合には、クロック切替信号により１４．３ＭＨｚが選択されている。このとき、ＳＥＣＡＭ  ＢＰＦ回路２０も動作クロックが１４．３ＭＨｚとなるために、周波数特性が変化して、３．１５ＭＨｚから３．８ＭＨｚを分離する特性になる。この場合に、ＰＡＬ方式の信号が入力されて、その信号振幅が非常に小さいときには、ＳＥＣＡＭ  ＢＰＦ回路２０によって振幅が減衰して振幅成分が除去されて、ＦＭ復調回路２００の復調範囲外になると、ＦＭ復調回路２００から出力される復調信号は０ＭＨｚに近い周波数になることがある。動作クロックが１４．３ＭＨｚのとき、ＦＭ復調回路２０の復調中心周波数は、例えば４．０ＭＨｚに設定されている。本来、バースト信号は４．４３ＭＨｚであって、中心周波数よりも大きいために、バースト周波数判別回路から出力されるバースト周波数判別信号はＨｉｇｈレベルを出力しなければならないが、信号振幅が非常に小さいＰＡＬ方式の信号が入力された場合には、ＦＭ復調回路２００から出力される復調信号は０ＭＨｚになり、バースト周波数判別信号はＬｏｗを出力して、誤判別となる。
【００７８】
そこで、本実施形態に係るバースト周波数判別回路では、クロック切替信号により動作クロックが１７．７ＭＨｚの場合には、ＳＥＣＡＭ  ＢＰＦ回路２０を選択し、動作クロック１４．３ＭＨｚの場合には広帯域ＢＰＦ回路５０を選択するものである。
【００７９】
広帯域ＢＰＦ回路５０の周波数特性は、例えば、２．４５ＭＨｚから４．５ＭＨｚまでを通過するような特性である。これにより、動作クロックが１４．３ＭＨｚの場合に、信号振幅が非常に小さいＰＡＬ方式の信号が入力されたときであっても、広帯域ＢＰＦ回路５０で振幅が減衰することがないので、ＦＭ復調回路２００から出力される復調信号は４．４３ＭＨｚとなって、バースト周波数判別回路から出力されるバースト周波数判別信号は正常値を出力する。
【００８０】
以上により、本実施形態におけるバースト周波数判別回路によれば、入力される映像信号からクロマ信号を分離するバンドパスフィルタとして、広帯域ＢＰＦ回路５０を追加し、クロック切替信号により動作クロックが１７．７ＭＨｚのに選択されている場合には、ＳＥＣＡＭ  ＢＰＦ回路２０を選択し、動作クロックが１４．３ＭＨｚに選択されている場合には、広帯域ＢＰＦ回路５０を選択することにより、バンドパスフィルタ部分でバースト信号の周波数成分が減衰しないようにしながら、ＦＭ復調回路２００で復調を行い、追従型ＢＧＰ生成回路４２から出力されるＢＧＰ信号によりバースト抜き取り回路１４でバースト信号部分を抜き取り、その抜き取ったバースト信号部分の復調信号を積分回路１６で積分した後、比較器１９により所定値１５と比較し、その結果をバースト周波数判別信号として出力するようにしたので、瞬時に判別を行い、振幅の小さい信号やバースト位置のずれた信号に対しても高精度なバースト周波数判別信号を出力することができる。
【産業上の利用可能性】
【００８１】
以上説明したように、本発明に係るバースト周波数判別回路は、ＳＥＣＡＭ信号処理回路のＦＭ復調回路と回路を共用して、回路の削減を図りながら、ＮＴＳＣ信号かＰＡＬ信号かのバースト周波数の判別を瞬時に行い得るので、ＮＴＳＣ／ＰＡＬ／ＳＥＣＡＭ信号処理に対応した映像信号処理回路におけるバースト周波数判別回路として有用である。
【図面の簡単な説明】
【００８２】
【図１】本発明の第１の実施形態に係るバースト周波数判別回路を含む映像信号処理回路を示す構成図である。
【図２】本発明の第２の実施形態に係るバースト周波数判別回路を含む映像信号処理回路を示す構成図である。
【図３】本発明の第３の実施形態に係るバースト周波数判別回路を含む映像信号処理回路を示す構成図である。
【図４】本発明の第４の実施形態に係るバースト周波数判別回路を含む映像信号処理回路を示す構成図である。
【図５】本発明の第５の実施形態に係るバースト周波数判別回路を含む映像信号処理回路を示す構成図である。
【図６】従来の放送方式判別装置を示す構成図である。
【図７】本発明の第１の実施形態に係る映像信号処理回路において、ＳＥＣＡＭ信号を処理する場合の各内部回路の出力信号波形を示す図である。
【図８】本実施の第１の実施形態に係るバースト周波数判別回路において、各内部回路の出力信号波形を示す図である。
【図９】本実施の第２の実施形態に係るバースト周波数判別回路において、水平同期分離回路の立下りエッジを基準とした場合の各内部回路の出力信号波形を示す図である。
【図１０】本実施の第２の実施形態に係るバースト周波数判別回路において、水平同期分離回路が立上りエッジを基準とした場合の各内部回路の出力信号波形を示す図である。
【図１１】本実施の第３の実施形態に係るバースト周波数判別回路において、各内部回路の出力信号波形を示す図である。
【符号の説明】
【００８３】
１０                    Ｈｉｌｂｅｒｔ変換回路
１１                    アークタンジェント回路
１２                    微分回路
１３、２８                デビエーション回路
１４                    バースト抜き取り回路
１６                    積分回路
１７、２９、３０、４０        水平同期分離回路
１８、４２                ＢＧＰ生成回路
１９                    比較器（比較回路）
２０、５０                バンドパスフィルタ
２１                    ＳＥＣＡＭ色差復調回路
２２                    ＰＡＬ色差復調回路
２３                    ＮＴＳＣ／ＰＡＬ色差復調回路
２５、２６                クロック生成回路
２７、５１                選択回路
４１                    バースト前エッジ検出回路
１０１                  バースト抜き取り回路
１０２                  ＡＣＣ回路
１０３                  位相検波回路
１０４                  ローパスフィルタ
１０５                  ＶＣＯ
１０６                  位相差回路
１０７                  自動判別回路
１０８                  スイッチ
１０９                  ＮＴＳＣ水晶発振器
１１０                  ＰＡＬ水晶発振器
１１１                  ＡＰＣ回路
【図１】
2005341192.tif 000007
【図２】
2005341192.tif 000008
【図３】
2005341192.tif 000009
【図４】
2005341192.tif 000010
【図５】
2005341192.tif 000011
【図６】
2005341192.tif 000012
【図７】
2005341192.tif 000013
【図８】
2005341192.tif 000014
【図９】
2005341192.tif 000015
【図１０】
2005341192.tif 000016
【図１１】
2005341192.tif 000017